(57)【特許請求の範囲】
【請求項１】
複数のハイビジョンビデオ信号を択一的に選択して入力するマルチスキャン電子ビューフィンダーであって、入力されたビデオ信号を同期分離して得られた水平同期信号を基準信号としてモノマルチバイブレータを２つ使用して入力信号周波数に追従したブランキングパルスを作成し、該ブランキングパルスによりビデオ信号を制御するマルチスキャン電子ビューファインダーにおいて、複数のハイビジョン信号に対応した複数の水平フリーラン周波数設定回路、垂直フリーラン周波数設定回路、水平画像位置設定回路、垂直ブランキング幅設定回路、垂直画面サイズ設定回路、輝度設定回路を有し、さらにカメラ本体からの周波数モード切替信号により入力周波数を選択する入力周波数選択回路を有し、選択された入力周波数に対応した水平フリーラン周波数設定回路、垂直フリーラン周波数設定回路、水平画像位置設定回路、垂直ブランキング幅設定回路、垂直画面サイズ設定回路、輝度設定回路を選択することを特徴とするマルチスキャン電子ビューファインダー。
【発明の詳細な説明】
【０００１】
【発明の属する技術分野】
本発明はマルチスキャン電子ビューファインダーに関するものである。
【０００２】
【従来の技術】
従来のハイビジョン対応電子ビューファインダー（以下ＥＶＦという）は、３３．７５ＫＨｚ／６０Ｈｚ（３３．７２ＫＨｚ／５９．９４Ｈｚ）の１種類の入力信号に対してのみ動作（表示）可能なものであった。
【０００３】
また、スタンダード電子ビューファインダーにおいてもＮＴＳＣ（１５．７３４ＫＨｚ／６０Ｈｚ）、ＰＡＬ（１５．６２５ＫＨｚ／５０Ｈｚ）の両方に対応できる電子ビューファインダーは無く、仕向け地別にＮＴＳＣ対応かＰＡＬ対応に設定されていた。回路上はＮＴＳＣとＰＡＬに対応できるようにしておき、調整の際にジャンパーランドまたは抵抗のショート、オープン等によりどちらかに固定する方法であり、ＮＴＳＣ、ＰＡＬの両方に対応できる構成にはなっていなかった。
【０００４】
図１は従来技術によるハイビジョン電子ビューファインダーの偏向回路を主体とした部分の回路ブロック図である。ハイビジョン電子ビューファインダーに入力されたＶＩＤＥＯ信号から同期分離回路１により水平同期信号ＨＤが同期分離され、同期分離回路１からは水平同期信号１１を取り出し、ブランキングパルス作成部９に入力される。モノマルチバイブレータ１０に外付けされたコンデンサと抵抗でブランキング期間を設定して作成されたブランキングパルス１２が出力され、信号処理回路１５に入力される。
【０００５】
ＶＩＤＥＯ信号１３は偏向回路２に入力される。偏向回路２は、水平フリーラン周波数設定回路３、垂直フリーラン周波数設定回路４、水平画像位置設定回路５、垂直ブランキング幅設定回路６、垂直画面サイズ設定回路７、輝度設定回路８を有し、各回路はＶＩＤＥＯ信号１３にあわせて水平・垂直フリーラン周波数周波数、水平画像位置、垂直ブランキング幅、垂直スキャンサイズ、輝度を調整してある。偏向回路２から出力されたＶＩＤＥＯ信号１４は信号処理回路１５に入力され、ブランキングパルス１２のタイミングでブランキングをかけ、出力される。信号処理回路１５から出力された信号１６はＣＲＴ１７のＧ１信号となる。
【０００６】
図２は従来技術による回路のＶＩＤＥＯ信号、ＨＤ（水平同期信号）、ＢＬＫ（ブランキングパルス）のタイミングチャートである。ＶＩＤＥＯＡはハイビジョン信号で周波数は３３．７５ＫＨｚ／６０Ｈｚの信号である。水平同期信号が重畳された映像信号から水平同期分離回路により生成されたＨＤＡはモノマルチバイブレータに入力され、モノマルチバイブレータはＨＤＡの立ち上がりをトリガとして映像信号の立ち上がりに同期したブランキング信号を生成する。ブランキング時間▲１▼はモノマルチバイブレータに外付けするコンデンサと抵抗の定数により設定されている。次のブランキングパルスはＨＤＡの次の立ち上がりで立ち上がる。モノマルチバイブレータ１つでは映像信号が終了してから次のブランキングパルの立ち上がりまでの時間▲３▼Ａ（ブランキングかからない時間）が発生するが、微小であり、ブランキング期間が終了してから次のブランキング期間に入るまでの総時間▲２▼Ａの２％程度であり、問題のないレベルである。
【０００７】
【発明が解決しようとする課題】
ＳＭＰＴＥ２７４Ｍに準拠したハイビジョン信号の周波数には３３．７５ＫＨｚ／６０Ｈｚ、２８．１２５ＫＨｚ／５０Ｈｚ、２７．００ＫＨｚ／４８Ｈｚ等々があるが、従来のハイビジョン対応電子ビューファインダーの回路では周波数の異なるハイビジョン信号を入力すると、以下のような問題が発生する。例えば３３．７５ＫＨｚ／６０Ｈｚの周波数に対応した電子ビューファインダーに２８．１２５ＫＨｚ／５０Ｈｚや２７．００ＫＨｚ／４８Ｈｚの信号を入力すると、１）ブランキングパルスが作成できない。
２）水平フリーラン周波数周波数、垂直フリーラン周波数周波数がずれるため同期がとない。
３）画像の水平位置がずれてしまう。
４）垂直のブランキング幅が短くなり垂直の帰線期間が画面に写ってしまう。
５）垂直スキャンサイズが大きくなってしまう。
６）フライバックパルスが大きくなるためヒーターバイアス電圧が変化してしまい画面の輝度が明るくなってしまう。
【０００８】
図２において、ＶＩＤＥＯＡに合わせたブランキングパルスを生成していた回路に、ＳＭＰＴＥ２７４Ｍに準拠したハイビジョン信号で周波数２８．１２５ＫＨｚ／５０ＨｚであるＶＩＤＥＯＢを入力したのが下半分のタイミングチャートである。水平同期信号が重畳された映像信号から水平同期分離回路により生成されたＨＤＢはモノマルチバイブレータに入力され、モノマルチバイブレータはＨＤＢの立ち上がりをトリガとして映像信号の立ち上がりに同期したブランキング信号を生成する。ブランキング時間▲１▼はモノマルチバイブレータに外付けするコンデンサと抵抗の定数により設定されているので変化はない。次のブランキングパルスはＨＤＢの次の立ち上がりで立ち上がる。モノマルチバイブレータ１つでは映像信号が終了してから次のブランキングパルスの立ち上がりまでの時間▲３▼Ｂ（ブランキングかからない時間）が発生し、ブランキング期間が終了してから次のブランキング期間に入るまでの総時間▲２▼Ｂの２０％にもなり、ブランキングされない時間が長すぎてブランキングの役割を果たさない。本発明の目的は前述の課題を解決し、複数のハイビジョン信号に対応できるマルチスキャン電子ビューファインダーを得ることにある。
【０００９】
【課題を解決するための手段】
複数のハイビジョンビデオ信号を択一的に選択して入力するマルチスキャン電子ビューファインダーにおいて、入力されたビデオ信号を同期分離して得られた水平同期信号を基準信号としてモノマルチバイブレータを２つ使用して入力信号周波数に追従したブランキングパルスを作成し、該ブランキングパルスによりビデオ信号を制御するマルチスキャン電子ビューファインダーとする。
【００１０】
複数のハイビジョン信号に対応した複数の水平フリーラン周波数設定回路、垂直フリーラン周波数設定回路、水平画像位置設定回路、垂直ブランキング幅設定回路、垂直画面サイズ設定回路、輝度設定回路を有し、さらにカメラ本体からの周波数モード切替信号により入力周波数を選択する入力周波数選択回路を有し、選択された入力周波数に対応した水平フリーラン周波数設定回路、垂直フリーラン周波数設定回路、水平画像位置設定回路、垂直ブランキング幅設定回路、垂直画面サイズ設定回路、輝度設定回路を選択するマルチスキャン電子ビューファインダーとする。
【００１１】
【発明の実施の形態】
図３は本発明の一実施形態であるマルチスキャン電子ビューファインダーの回路のブロック図であり、図４は本発明による回路のＶＩＤＥＯ（Ａ、Ｂ、Ｃ）信号、ＨＤ（Ａ、Ｂ、Ｃ）（水平同期信号）、Ｍ／Ｍ１（Ａ、Ｂ、Ｃ）（モノマルチバイブレータ１の出力）、ＢＬＫ（Ａ、Ｂ、Ｃ）（ブランキングパルスであり、Ｍ／Ｍ２の出力）のタイミングチャートであり、Ａ、Ｂ、Ｃの３種類が記載されている。Ａは３３．７５ＫＨｚ／６０Ｈｚ、Ｂは２８．１２５ＫＨｚ／５０Ｈｚ、Ｃは２７．００ＫＨｚ／４８Ｈｚのタイミングチャートである。以下図３、図４により本発明に使用する回路を説明する。電子ビューファインダーに入力されたＶＩＤＥＯ信号から同期分離回路２０により水平同期信号ＨＤが同期分離され、同期分離回路２０からは水平同期信号２１が出力される。水平同期信号２１はブランキングパルス作成回路２９に入力され、モノマルチバイブレータＭ／Ｍ１に入力される。Ｍ／Ｍ１はＨＤの立ち上がりでトリガされ、所定時間で復帰し（復帰タイミングは映像信号の立ち上がり時）、ＨＤの次の立ち上がりでトリガされ所定時間で復帰することを繰り返す。Ｍ／Ｍ２はＭ／Ｍ１の立ち上がりでトリガされ、所定時間で復帰したブランキングパルスを出力する。復帰するタイミングは映像信号がなくなるタイミングである。映像信号の期間▲４▼はＡ、Ｂ、Ｃとも同じである。また、ＨＤの立ち上がりから映像信号の立ち上がりまでの期間▲１▼も同じである。
【００１２】
異なるのは従来技術でブランキングのかからなかった期間▲３▼Ａ、▲３▼Ｂ、▲３▼Ｃであるが、ブランキング開始が映像信号の終わるタイミングにＭ／Ｍ２で調整され、ブランキング終了タイミングがＭ／Ｍ１により映像信号の始まるタイミングに調整されるので、入力されるＶＩＤＥＯ信号に追従したブランキングパルスが作成できる。
【００１３】
偏向回路２２には、水平フリーラン周波数設定回路２３、垂直フリーラン周波数設定回路２４、水平画像位置設定回路２５、垂直ブランキング幅設定回路２６、垂直画面サイズ設定回路２７、輝度設定回路２８を有し、各回路はＶＩＤＥＯ信号周波数Ａ、Ｂ、Ｃにあわせて調整された３種類（Ａ、Ｂ、Ｃ）の水平フリーラン周波数設定回路（２３Ａ、２３Ｂ、２３Ｃ）、垂直フリーラン周波数設定回路（２４Ａ、２４Ｂ、２４Ｃ）、水平画像位置設定回路（２５Ａ、２５Ｂ、２５Ｃ）、垂直ブランキング幅設定回路（２６Ａ、２６Ｂ、２６Ｃ）、垂直スキャンサイズ設定回路（２７Ａ、２７Ｂ、２７Ｃ）、輝度設定回路（２８Ａ、２８Ｂ、２８Ｃ）を有している。各回路のＡ、Ｂ、Ｃはセットになっており、ビデオカメラから周波数モード切替信号が周波数選択部３０に入力されると、偏向回路２２からはＡ、Ｂ、Ｃのセットの中から一つが選択される。よって、入力されたＶＩＤＥＯ信号の種類用に調整された回路を選択できるので従来技術の課題であった〔０００７〕記載の２）〜６）は解消される。ＶＩＤＥＯ信号３２は信号処理回路３４に入力され、ブランキングパルス３１でブランキングをかけ、出力される。信号処理回路３４から出力された信号３５はＣＲＴ１７のＧ１信号となる。
【００１４】
図５は水平フリーラン周波数設定回路図の一例である。フリーラン周波数設定回路２３は、周波数Ａ、Ｂ、Ｃ用にあらかじめ設定してあるフリーラン周波数設定回路２３Ａ、２３Ｂ、２３Ｃを有している。ビデオカメラから周波数モード切替信号によりＢまたはＣが選択されると、トランジスタＴＢまたはトランジスタＴＣによって、フリーラン周波数設定回路２３Ｂまたはフリーラン周波数設定回路２３Ｃが選択される。周波数モード切替信号によりＢまたはＣが選択されない場合はフリーラン周波数設定回路２３Ａが使われる。
【００１５】
垂直フリーラン周波数設定回路（２４Ａ、２４Ｂ、２４Ｃ）、水平画像位置設定回路（２５Ａ、２５Ｂ、２５Ｃ）、垂直ブランキング幅設定回路（２６Ａ、２６Ｂ、２６Ｃ）、垂直スキャンサイズ設定回路（２７Ａ、２７Ｂ、２７Ｃ）、輝度設定回路（２８Ａ、２８Ｂ、２８Ｃ）も同様な調整と選択がなされる。
【００１６】
【発明の効果】
ブランキングパルス生成回路部に２つのモノマルチバイブレータを使用することで、ブランキング開始を映像信号の終わるタイミングで調整し、ブランキング終了タイミングを映像信号の始まるタイミングで調整でき、入力されるＶＩＤＥＯ信号に追従したブランキングパルスが作成できる。
【００１７】
複数のハイビジョン信号に対応した複数の水平フリーラン周波数設定回路、垂直フリーラン周波数設定回路、水平画像位置設定回路、垂直ブランキング幅設定回路、垂直画面サイズ設定回路、輝度設定回路を設け、さらにカメラ本体からの周波数モード切替信号により入力周波数を選択する入力周波数選択回路を設け、選択された入力周波数に対応した水平フリーラン周波数設定回路、垂直フリーラン周波数設定回路、水平画像位置設定回路、垂直ブランキング幅設定回路、垂直画面サイズ設定回路、輝度設定回路を選択するので複数のハイビジョン信号に対応できるマルチスキャン電子ビューファインダーを得ることができる。
【図面の簡単な説明】
【図１】従来技術による電子ビューファインダーの偏向回路を主体とした部分の回路ブロック図
【図２】従来技術による回路のＶＩＤＥＯ信号、ＨＤ（水平同期信号）、ＢＬＫ（ブランキングパルス）のタイミングチャート
【図３】本発明の一実施形態である電子ビューファインダーのマルチスキャン回路のブロック図
【図４】本発明による回路のＶＩＤＥＯ（Ａ、Ｂ、Ｃ）信号、ＨＤ（Ａ、Ｂ、Ｃ）（水平同期信号）、Ｍ／Ｍ１（Ａ、Ｂ、Ｃ）（モノマルチバイブレータ１の出力）、ＢＬＫ（Ａ、Ｂ、Ｃ）（ブランキングパルスであり、Ｍ／Ｍ２の出力）のタイミングチャート
【図５】水平フリーラン周波数設定回路図
【符号の説明】
１          同期分離回路
２          偏向回路
３          水平フリーラン周波数設定回路
４          垂直フリーラン周波数設定回路
５          水平画像位置設定回路
６          垂直ブランキング幅設定回路
７          垂直画面サイズ設定回路
８          輝度設定回路
９          ブランキングパルス作成部
１０        モノマルチバイブレータ
１１        水平同期信号
１２        ブランキングパルス
１３        ＶＩＤＥＯ信号
１４        ＶＩＤＥＯ信号
１５        信号処理回路
１６        信号
１７        ＣＲＴ
２０        同期分離回路
２１        水平同期信号
２２        偏向回路
２３        水平フリーラン周波数設定回路
２４        垂直フリーラン周波数設定回路
２５        水平画像位置設定回路
２６        垂直ブランキング幅設定回路
２７        垂直画面サイズ設定回路
２８        輝度設定回路
２９        ブランキングパルス作成回路
３０        周波数選択部
３１        ブランキングパルス
３２        ＶＩＤＥＯ信号
３３        ＶＩＤＥＯ信号
３４        信号処理回路
３５        信号
ＶＩＤＥＯ  ビデオ信号
ＨＤ        水平同期信号
ＢＬＫ      ブランキングパルス
【図１】
0004171568.tif 000002
【図２】
0004171568.tif 000003
【図３】
0004171568.tif 000004
【図４】
0004171568.tif 000005
【図５】
0004171568.tif 000006